(57)【要約】【課題】給湯機の遠隔制御装置において、給湯機のある機能の動作内容の変更を指示するために、遠隔制御装置の操作部により該当する変更モードへの移行操作を行ってから、動作内容の変更を実施する場合に、該当する機能の動作内容が遠隔制御装置の表示部のどこに表示されているのかを容易に確認することを可能とし、更に、該当する表示内容を容易に確認することのできる使い勝手のよい遠隔制御装置を提供する。【解決手段】  給湯機本体１のある機能の動作内容の変更を指示する際に、前記給湯機本体１に接続された遠隔制御装置２に設けられた操作部７により該当する変更モードへの移行操作が行われると、前記遠隔制御装置２に設けられた表示部８の該当する変更可能な表示を点滅させるとともに、点滅周期の点灯時間を消灯時間よりも長くする。【選択図】図２
2008187634.tif 000002
【特許請求の範囲】
【請求項１】
給湯機を遠隔操作可能な遠隔制御装置において、
前記遠隔制御装置は、前記給湯機の各種機能の動作内容の変更を指示する操作部と、前記操作部による操作内容や前記給湯機の動作状態を表示する表示部とを備え、前記給湯機のある機能の動作内容の変更を指示する際に、前記操作部により該当する変更モードへの移行操作が行われた場合、前記表示部の該当する変更可能な表示を点滅させるとともに、点滅周期の点灯時間を消灯時間よりも長くすることを特徴とする給湯機の遠隔制御装置。
【請求項２】
前記操作部は、前記給湯機の各種機能の動作内容の変更モードへと移行させるメニュースイッチを備え、前記給湯機のある機能の動作内容の変更を指示する際に、前記メニュースイッチの操作により該当する変更モードへの移行操作が行われた場合、前記表示部の該当する変更可能な表示を点滅させることを特徴とする請求項１記載の給湯機の遠隔制御装置。
【請求項３】
前記表示部は、変更対象の項目を表示するメニュー項目表示エリアと変更可能な値を表示する動作内容表示エリアを備え、前記給湯機のある機能の動作内容の変更を指示する際に、前記メニュースイッチの操作により該当する変更モードへの移行操作が行われた場合、前記メニュー項目表示エリアまたは動作内容表示エリアのどちらか一方の表示を点滅させることを特徴とする請求項２記載の給湯機の遠隔制御装置。
【請求項４】
前記表示部は、変更対象の項目を表示するメニュー項目表示エリアと変更可能な値を表示する動作内容表示エリアを備え、前記給湯機のある機能の動作内容の変更を指示する際に、前記メニュースイッチの操作により該当する変更モードへの移行操作が行われた場合、前記メニュー項目表示エリア及び動作内容表示エリアの両方の表示を点滅させることを特徴とする請求項２記載の給湯機の遠隔制御装置。
【請求項５】
前記遠隔制御装置は、前記表示部の該当する変更可能な表示を点滅させる場合に、点滅周期の消灯期間から点滅動作を開始させることを特徴とする請求項１〜４のいずれかに記載の給湯機の遠隔制御装置。
【発明の詳細な説明】
【技術分野】
【０００１】
本発明は、給湯機を遠隔操作可能な遠隔制御装置に関するものである。
【背景技術】
【０００２】
従来、給湯機の遠隔制御装置には、所定のスイッチ操作がなされた際に、当該スイッチ操作に対応する表示箇所を他の表示箇所より表示輝度を明るく表示させたり、点滅させることにより、スイッチ操作に対応する表示箇所をより明確に他の表示箇所と区別することが可能としたものがある（例えば、特許文献１参照）。
【０００３】
【特許文献１】特開２００１−１２８２６８号公報（第４頁、図１）
【発明の開示】
【発明が解決しようとする課題】
【０００４】
給湯機の遠隔制御装置において、給湯機のある機能の動作内容の変更を指示する方法としては、まず、操作部により該当する変更モードへの移行操作を行い、一般的に、この変更モード中は、該当する機能の動作内容が表示部に変更可能であることを明示しながら表示されるので、次に、使用者は、表示部に表示されている該当する機能の動作内容表示を確認しながら、動作内容の変更を実施するという方法がある。
【０００５】
このような操作方法を実施するにあたり、上記背景技術に示したような特許文献１の方法では、該当する変更モードへ移行した際に、表示部の該当する機能の動作内容表示がこれ以外の表示よりも表示輝度を明るくなるようにしているが、上記特許文献１の発明の実施の形態にも記されている通り、人間の目では感知できない速度で複数の表示箇所の点灯を切り替えて、あたかも全ての表示箇所が点灯しているように見せるダイナミック点灯方式においては、該当する機能の動作内容表示を通常よりも表示輝度を明るくした場合、それに比例して該当箇所以外の表示が通常よりも暗くなってしまうため、該当箇所以外の表示の視認性が落ちてしまうという問題点があった。
【０００６】
また、変更モード中、該当箇所以外の表示の視認性を著しく損なわないようにするために、該当箇所以外の表示を暗くしすぎないようにすると、該当する機能の動作内容表示と該当箇所以外の表示の明暗に大差がつけられず、該当する機能の動作内容がどこに表示されているのかが確認しずらくなってしまうという問題点があった。
【０００７】
更に、背景技術として、変更モード中、該当する機能の動作内容表示を点滅表示させるという方法があるが、この点滅表示の点滅周期の消灯期間中は、表示内容が確認できなくなるので、該当する機能の動作内容表示が確認しずらくなってしまうという問題点があった。
【０００８】
また、給湯機のある機能の動作内容の変更を指示しようとして、操作部により該当する変更モードへの移行操作を行った際に、瞬時的に該当する機能の動作内容表示が見つからなかった場合や、動作内容表示が変更可能であることを確認できなかった場合、該当する変更モードへ移行できなかったと勘違いして、該当する変更モードから抜ける操作を実施してしまう可能性があるという問題点があった。
【０００９】
本発明は、上記のような問題点を解決するもので、給湯機のある機能の動作内容の変更を指示する方法として、まず、操作部により該当する変更モードへの移行操作を行ってから、動作内容の変更を実施するという方法を採用した場合に、該当する機能の動作内容表示を通常よりも目立たせるために、該当箇所以外の表示を通常よりも見づらくしてしまうということをなくし、該当する機能の動作内容表示だけでなく、該当箇所以外の表示の視認性を高く維持するとともに、かつ、該当する機能の動作内容表示と該当箇所以外の表示に明確な差をつけて、該当する機能の動作内容がどこに表示されているのかを容易に確認することを可能とし、更に、該当する機能の動作内容表示が確認しずらくなってしまうということをなくし、該当する表示内容を容易に確認することのできる使い勝手のよい遠隔制御装置を提供することを目的としている。
【００１０】
また、給湯機のある機能の動作内容の変更を指示しようとして、操作部により該当する変更モードへの移行操作を行った際に、瞬時的に該当する機能の動作内容表示を見つけることができ、かつ、動作内容表示が変更可能であることを確認することができるようにして、該当する変更モードへ移行できなかったと勘違いして、該当する変更モードから抜ける操作を実施してしまうということがない使い勝手のよい遠隔制御装置を提供することを目的としている。
【課題を解決するための手段】
【００１１】
本発明にかかる給湯機の遠隔制御装置は、給湯機を遠隔操作可能な遠隔制御装置において、本発明の遠隔制御装置は、前記給湯機の各種機能の動作内容の変更を指示する操作部と、前記操作部による操作内容や前記給湯機の動作状態を表示する表示部とを備え、前記給湯機のある機能の動作内容の変更を指示する際に前記操作部により該当する変更モードへの移行操作が行われた場合、前記表示部の該当する変更可能な表示を点滅させるとともに点滅周期の点灯時間を消灯時間よりも長くすることを特徴とするものである。
【発明の効果】
【００１２】
本発明にかかる給湯機の遠隔制御装置によれば、給湯機のある機能の動作内容の変更を指示する方法として、まず、操作部により該当する変更モードへの移行操作を行ってから、動作内容の変更を実施するという方法を採用した場合に、該当する機能の動作内容表示を通常よりも目立たせるために、該当箇所以外の表示を通常よりも見づらくしてしまうということをなくし、該当する機能の動作内容表示だけでなく、該当箇所以外の表示の視認性を高く維持するとともに、かつ、該当する機能の動作内容表示と該当箇所以外の表示に明確な差をつけて、該当する機能の動作内容がどこに表示されているのかを容易に確認することを可能とし、更に、該当する機能の動作内容表示が確認しずらくなってしまうということをなくし、該当する表示内容を容易に確認することが可能となる。
【発明を実施するための最良の形態】
【００１３】
実施の形態１．
以下、本発明の実施の形態１を図に基づいて説明する。
図１は本発明の実施の形態１における給湯器の遠隔制御装置の概略構成を示すブロック図である。
【００１４】
図１において、遠隔制御装置２と通信線３で接続された給湯機本体１は、一般給湯用、ふろ追い焚き用等の熱交換器、各種ヒーター、および各種バルブなど（いずれも図示せず）を含むタンクユニット４と、給湯機本体１の全体動作を制御する制御部５と、遠隔制御装置２との通信を行うための通信部６とを備えている。
【００１５】
一方、遠隔制御装置２は、給湯機本体１を遠隔で操作することが可能であり、給湯機本体１の各種機能の動作内容の変更を指示する操作部７と、操作部７による操作内容や給湯機本体１の動作状態を表示する表示部８と、操作部７による操作内容を受けて各種処理を実施したり、操作部７による操作内容や給湯機本体１の情報をもとに表示部８に表示する内容を制御したりする制御部９と、給湯機本体１との通信を行うための通信部１０とを備えている。
【００１６】
通信線３は、給湯機本体１と遠隔制御装置２とを接続しており、給湯機本体１から遠隔制御装置に電源供給（例えば１２Ｖ）を行うため２芯線となっている。給湯機本体１からのデータは給湯機本体１の通信部６において変調され、電源電圧に重畳され、通信線３を介して遠隔制御装置２に伝達される。そして、このデータ信号は遠隔制御装置２の通信部１０において復調され、遠隔制御装置２の制御部９に送られる。また、遠隔制御装置２からのデータは遠隔制御装置２の通信部１０において変調され、通信線３を介して給湯機本体１に伝達される。そして、このデータ信号は、給湯機本体１の通信部６において復調され、給湯機本体１の制御部５に送られる。
【００１７】
図２は本発明の実施の形態１における給湯器の遠隔制御装置２の概略図である。
この実施の形態１では、給湯機本体１のある機能の動作内容の変更を指示する方法として、まず、操作部７により該当する変更モードへの移行操作を行い、次に、動作内容の変更を実施するというメニュー方式の操作方法を採用している。つまり、遠隔制御装置２の操作部７には、例えば、メニュースイッチ７ａ、選択プラススイッチ７ｂ、選択マイナススイッチ７ｃ、決定スイッチ７ｄ等が備わっており、メニュースイッチ７ａを１回押すと、給湯機本体１の各種機能の動作内容を変更するための変更モードへと移行し、例えば、図３の（Ａ）に示すように、表示部８に設けられたメニュー項目表示エリア８ａに変更可能な機能の項目が表示され、同様にして表示部８に設けられた動作内容表示エリア８ｂにその動作内容が表示される。
【００１８】
その後は、メニュースイッチ７ａを押すたびに、例えば、図３の（Ｂ）、（Ｃ）に示すように、メニュー項目表示エリア８ａの項目表示が順番に切り替わっていき、これに対応して動作内容表示エリア８ｂに表示される動作内容表示も切り替わっていく、そして、最終的にメニュースイッチ７ａで選択可能な機能の項目を一巡すると、通常モードへと戻って、変更モードが終了する。この変更モード中は、選択プラススイッチ７ｂや選択マイナススイッチ７ｃを押すことによって、動作内容表示エリア８ｂに表示されている動作内容表示を変更することができ、更に決定スイッチ７ｄを押すことによって、変更した動作内容を確定することができる。
【００１９】
次に、上記実施の形態１の動作を図４に基づいて説明する。
図４は本発明の実施の形態１を示す給湯機の遠隔制御装置の制御動作のフローチャートである。
【００２０】
図４において、例えば、給湯機本体１の機能の１つである決められた湯温で浴槽にお湯をはる湯はり機能における湯はり温度を設定する場合、まず、使用者は、遠隔制御装置２の操作部７に設けられたメニュースイッチ７ａを押して、湯はり温度の変更モードを選択する（ステップ２０）。このとき、図３の（Ａ）に示すように、表示部８のメニュー項目表示エリア８ａには、湯はり温度の項目（例えば「ふろ温度」）が点灯表示され、動作内容表示エリア８ｂには、湯はり温度（例えば「４２℃」）が点滅表示されるので（ステップ２１）、使用者は、これらの表示を見て、現在、変更モード中であり、かつ、変更対象の項目として、湯はり温度が選択されていることを確認することが可能となっている。次に、使用者は、湯はり温度が変更可能であることを確認すると、選択プラススイッチ７ｂや選択マイナススイッチ７ｃで、湯はり温度を変更し（ステップ２２，２３）、決定スイッチ７ｄを押して、湯はり温度の設定を完了することになる（ステップ２４）。
【００２１】
次に、湯はり温度を設定する際の表示部８における表示動作の詳細を図５に基づいて説明する。
図５は本発明の実施の形態１を示す給湯機の遠隔制御装置において、湯はり温度を設定する際の表示部８における表示動作を示したタイムチャートである。
【００２２】
図５において、例えば、湯はり温度を設定する際に、使用者が、遠隔制御装置２の操作部７に設けられたメニュースイッチ７ａを押して、湯はり温度の変更モードを選択すると、表示部８のメニュー項目表示エリア８ａには、「ふろ温度」が点灯表示され、動作内容表示エリア８ｂには、湯はり温度の値（例えば「４２℃」）が点滅表示される。
【００２３】
このとき、遠隔制御装置２の制御部９では、消灯期間より点灯期間を長くした（例えば、点灯７５０ｍｓｅｃ、消灯２５０ｍｓｅｃ）点滅表示用の周期タイマーがカウントされており、動作内容表示エリア８ｂに表示される湯はり温度の値は、この点滅表示用の周期タイマーを利用することによって点滅して表示される。つまり、湯はり温度の変更モード中は、動作内容表示エリア８ｂに表示されるの湯はり温度の値が、点灯７５０ｍｓｅｃ／消灯２５０ｍｓｅｃの点滅表示を継続することになる。
【００２４】
以上のように、本発明の実施の形態１によれば、給湯機本体１のある機能の動作内容の変更を指示する方法として、まず、操作部７により該当する変更モードへの移行操作を行ってから、次に、動作内容の変更を実施するという操作方法を採用している場合に、この変更モード中、表示部８に表示される動作内容表示を点滅表示させるので、使用者にとっては、該当箇所以外の表示が見えづらくなってしまうということがなく、該当する機能の動作内容がどこに表示されているのかを容易に確認することができる。
【００２５】
また、変更モード中、表示部８に表示される動作内容表示の点滅表示動作に関しては、点滅表示の点滅周期の点灯期間を消灯期間よりも適度に長くしているので、動作内容表示が消灯していることにより表示内容が確認できなくなってしまうということが少なくなり、特に、変更モード中の動作内容表示の確認、及び動作内容の変更操作が容易となり、非常に使い勝手がよくなる。
【００２６】
実施の形態２．
次に、本発明の実施の形態２を示す遠隔制御装置において、湯はり温度を設定する際の表示部８における表示動作の詳細を図６に基づいて説明する。
なお、実施の形態２の構成、及び制御動作フローに関しては、上記実施の形態１の構成、及び制御動作フローと同様のため説明を省略する。
【００２７】
図６は本発明の実施の形態２を示す給湯機の遠隔制御装置において、湯はり温度を設定する際の表示部８における表示動作を示したタイムチャートである。
【００２８】
図６において、例えば、湯はり温度を設定する際に、使用者が、遠隔制御装置２の操作部７に設けられたメニュースイッチ７ａを押して、湯はり温度の変更モードを選択すると、表示部８のメニュー項目表示エリア８ａには、「ふろ温度」が点灯表示され、動作内容表示エリア８ｂには、湯はり温度の値（例えば「４２℃」）が点滅表示される。
【００２９】
このとき、遠隔制御装置２の制御部９では、消灯期間より点灯期間が長く（例えば、点灯７５０ｍｓｅｃ、消灯２５０ｍｓｅｃ）、かつ、０秒タイミングで消灯期間から点滅表示を開始するように設定されている点滅表示用の周期タイマーがカウントされており、メニュースイッチ７ａを押して、湯はり温度の変更モードに入ったタイミングで、この点滅表示用の周期タイマーのカウンタが０クリアされ、以降、動作内容表示エリア８ｂに表示される湯はり温度の値は、この点滅表示用の周期タイマーを利用することによって点滅して表示される。
【００３０】
つまり、メニュースイッチ７ａを押して、湯はり温度の変更モードへ移行すると同時に、動作内容表示エリア８ｂに表示される湯はり温度の値が２５０ｍｓｅｃ間消灯し、以降、点灯７５０ｍｓｅｃ／消灯２５０ｍｓｅｃの点滅表示を継続することになる。
【００３１】
以上のように、本発明の実施の形態２によれば、給湯機本体１のある機能の動作内容の変更を指示する方法として、まず、操作部７により該当する変更モードへの移行操作を行ってから、次に、動作内容の変更を実施するという操作方法を採用している場合に、この変更モード中、表示部８に表示される動作内容表示を点滅表示させ、かつ、点滅表示の点滅周期の点灯期間を消灯期間よりも適度に長くしており、更に、変更モードへ移行すると同時に、動作内容表示の点滅表示を点滅周期の消灯期間から開始するようにしているので、使用者にとっては、操作部７により該当する変更モードへの移行操作を行った際に、瞬時的に該当する変更モードへ移行できたことが確認可能となっており、該当する変更モードへ移行できなかったと勘違いして、該当する変更モードを抜ける操作を実施してしまうということが少なくなり、非常に使い勝手がよくなる。
【００３２】
特に、変更モード中の動作内容表示の確認、及び動作内容の変更操作を容易とするために、点滅表示の点灯期間を消灯期間よりも長くした場合には、点滅表示が点滅周期の点灯期間から始まると、点滅表示と気づかずに、該当する変更モードを抜けてしまう可能性が高くなるため、変更モードへ移行した際に、動作内容表示の点滅表示を点滅周期の消灯期間から開始する方法が非常に有効となる。
【００３３】
また、例えば、表示部８の同じ動作内容表示エリアに、通常モード時には、所定の動作内容が点灯表示されており、変更モード時には、変更対象の動作内容が点滅表示されるといった表示方法において、操作部７に設けられた所定のスイッチを押すたびに、機能Ａの変更モード、機能Ｂの変更モード、機能Ｃの変更モード、…と各変更モードが順番に切り替わっていき、各変更モードで、例えば、図３の（Ａ）、（Ｂ）、（Ｃ）に示すような表示が行われ、所定のスイッチで選択可能な機能の変更モードを一巡すると、次に、所定のスイッチを押したときに通常モードへと切り替わるというモード切り替え動作が、所定のスイッチを押した回数分だけ、延々と繰り返されるような場合、通常、使用者は、目的の変更モードへと辿りつくために、基点となる通常モードから所定のスイッチを何回押せばよいのかを考えて操作するため、万が一、所定のスイッチを何回か押している最中に、基点となる通常モードから所定のスイッチを何回押したのかを忘れてしまったときには、通常モードに戻そうと試みることが多い。
【００３４】
このような場合、本実施の形態２に示す遠隔制御装置では、各変更モードで動作内容表示が点滅表示を継続し、かつ、各変更モードに移行した際に、点滅表示が点滅周期の消灯期間から開始するので、モードを移行したときに、動作内容表示が一瞬消灯すれば変更モードであり、消灯しなければ通常モードであると認識できるため、所定のスイッチを何回か押していて、今どのモードが選択されているのかが分らなくなったときに、基点となる通常モードに戻すことが容易に可能となり、非常に使い勝手がよくなる。
【００３５】
なお、上記実施の形態１及び２では、変更モード時に、動作内容表示エリア８ｂの表示を点滅させるようにしているが、メニュー項目表示エリア８ａの表示を点滅させるようにしてもよいし、メニュー項目表示エリア８ａと動作内容表示エリア８ｂの両方の表示を点滅させるようにしてもよい。
【００３６】
また、上記実施の形態１及び２では、変更モード時に、動作内容表示エリア８ｂの表示を点滅させるようにしているが、動作内容表示エリア８ｂの表示をすべて点滅させるのではなく、数値や変更可能な値の表示だけ点滅させて、単位等の表示は点滅させないようにしてもよい。
【図面の簡単な説明】
【００３７】
【図１】本発明の実施の形態１を示す給湯機の遠隔制御装置のブロック図。
【図２】本発明の実施の形態１を示す給湯機の遠隔制御装置の概観図。
【図３】本発明の実施の形態１を示す給湯機の遠隔制御装置の表示部における表示例。
【図４】本発明の実施の形態１を示す給湯機の遠隔制御装置の制御動作のフローチャート。
【図５】本発明の実施の形態１を示す給湯機の遠隔制御装置の表示部における表示動作を示したタイムチャート。
【図６】本発明の実施の形態２を示す給湯機の遠隔制御装置の表示部における表示動作を示したタイムチャート。
【符号の説明】
【００３８】
１    給湯機本体
２    遠隔制御装置
３    通信線
５    制御部（給湯機本体側）
６    通信部（給湯機本体側）
７    操作部
７ａ  メニュースイッチ
７ｂ  選択プラススイッチ
７ｃ  選択マイナススイッチ
７ｄ  決定スイッチ
８    表示部
８ａ  メニュー項目表示エリア
８ｂ  動作内容表示エリア
９    制御部（遠隔制御装置側）
１０  通信部（遠隔制御装置側）
【図１】
2008187634.tif 000003
【図２】
2008187634.tif 000004
【図３】
2008187634.tif 000005
【図４】
2008187634.tif 000006
【図５】
2008187634.tif 000007
【図６】
2008187634.tif 000008